(57)【要約】【課題】筆記具の２つの筒状部材において、一方の端部に他方の端部を挿入して組み立てを行う場合に、取り付け不良を防止しつつ、容易に外れないような適切な保持力を有する筆記具を提供する。【解決手段】外周面に突起部５４が形成された第１筒状部材５と、係止部３２が形成された第２筒状部材３とを具備し、第１筒状部材５又は第２筒状部材３の一方を他方に挿入させて突起部５４と係止部３２とを係止させる筆記具１において、第１筒状部材５の突起部５４近傍の外周面に、独立して貫通する少なくとも２つの溝５５が形成され、突起部５４が、溝５５によって画成された両持ち梁部５６に形成されている。【選択図】図２
2016159491.tif 000002
【特許請求の範囲】
【請求項１】
外周面に突起部が形成された第１筒状部材と、係止部が形成された第２筒状部材とを具備し、前記第１筒状部材又は前記第２筒状部材の一方を他方に挿入させて前記突起部と前記係止部とを係止させる筆記具において、
前記第１筒状部材の前記突起部近傍の外周面に、独立して貫通する少なくとも２つの溝が形成され、前記突起部が、前記溝によって画成された両持ち梁部に形成されていることを特徴とする筆記具。
【請求項２】
前記溝が、当該筆記具の軸線方向に沿って延在することを特徴とする請求項１に記載の筆記具。
【請求項３】
前記溝が、周方向において前記突起部の両側に配置されていることを特徴とする請求項２に記載の筆記具。
【請求項４】
前記第１筒状部材が内筒であり、前記第２筒状部材が前記内筒の前方に配置される軸筒であることを特徴とする請求項１乃至３のいずれか一項に記載の筆記具。
【請求項５】
前記内筒の外面に、梨地処理が施されていることを特徴とする請求項４に記載の筆記具。
【発明の詳細な説明】
【技術分野】
【０００１】
本発明は、筆記具に関する。
【背景技術】
【０００２】
筆記具の２つの筒状部材において、一方の端部に他方の端部を挿入して組み立てを行う場合に、互いの周方向の位置を正確に合わせる必要がある（例えば、特許文献１）。特許文献１に記載のような筆記具は、一般的に、クリップの設けられた内筒と軸筒との組み立てにおいて、内筒の外周面に設けられた突起を、軸筒の外周面に設けられた貫通孔に嵌合させることで、組み立てが完了する。
【先行技術文献】
【特許文献】
【０００３】
【特許文献１】特開平０９−１７５０８３号公報
【発明の概要】
【発明が解決しようとする課題】
【０００４】
しかしながら、特許文献１に記載の筆記具では、内筒に設けられた突起は、内筒の外周面において片持ち梁状の部分（図４及び図５参照）に形成されているため、筆記具の使用者が内筒を強く引っ張ると、本来望ましくないが、軸筒から外れてしまう可能性がある。すなわち、突起を支持する片持ち梁状の部分が、ベンディングし、時にはクリープ変形によって、突起が軸筒の貫通孔から外れてしまう可能性がある。他方、仮に、片持ち梁状の部分でなく、内筒の外周面に直接的に突起を形成すると、突起及びその近傍はほとんど変形しないことから、内筒を軸筒に挿入する際に大きな力が必要となり、特に軸筒と内筒との位置合わせがずれた場合に、内筒の取り付け不良が発生する可能性があった。また、周方向の位置がずれた場合に、それを直すための大きな力を必要とすることがあった。
【０００５】
本発明は、筆記具の２つの筒状部材において、一方の端部に他方の端部を挿入して組み立てを行う場合に、取り付け不良を防止しつつ、容易に外れないような適切な保持力を有する筆記具を提供する。
【課題を解決するための手段】
【０００６】
本発明の一態様によれば、外周面に突起部が形成された第１筒状部材と、係止部が形成された第２筒状部材とを具備し、前記第１筒状部材又は前記第２筒状部材の一方を他方に挿入させて前記突起部と前記係止部とを係止させる筆記具において、前記第１筒状部材の前記突起部近傍の外周面に、独立して貫通する少なくとも２つの溝が形成され、前記突起部が、前記溝によって画成された両持ち梁部に形成されていることを特徴とする筆記具が提供される。
【０００７】
また、別の態様によれば、前記溝が、当該筆記具の軸線方向に沿って延在することを特徴とする筆記具が提供される。
【０００８】
また、別の態様によれば、前記溝が、周方向において前記突起部の両側に配置されていることを特徴とする筆記具が提供される。
【０００９】
前記第１筒状部材が内筒であり、前記第２筒状部材が前記内筒の前方に配置される軸筒であることを特徴とする筆記具が提供される。
【００１０】
前記内筒の外面に、梨地処理が施されていることを特徴とする筆記具が提供される。
【発明の効果】
【００１１】
本発明の態様によれば、筆記具の２つの筒状部材において、一方の端部に他方の端部を挿入して組み立てを行う場合に、取り付け不良を防止しつつ、容易に外れないような適切な保持力を有する筆記具を提供するという共通の効果を奏する。
【図面の簡単な説明】
【００１２】
【図１】本発明の実施形態による筆記具の側面図である。
【図２】軸筒と内筒との取り付けを示す斜視図である。
【図３】内筒の側面図である。
【図４】図３の線Ｘ−Ｘにおける内筒の断面図である。
【図５】図３の線Ｙ−Ｙにおける内筒の断面図である。
【発明を実施するための形態】
【００１３】
以下、図面を参照しながら本発明の実施の形態を詳細に説明する。全図面に渡り、対応する構成要素には共通の参照符号を付す。
【００１４】
図１は、本発明の実施形態による筆記具１の側面図である。筆記具１は、いわゆるノック式筆記具であるボールペンである。筆記具１は、前軸２及び後軸３を備えた軸筒４と、軸筒４の後端に取り付けられた内筒５と、内筒５内を前後動するノック部６と、軸筒４の内部に収容されたレフィル（図示せず）とを有する。内筒５は、クリップ７を有する。前軸２及び後軸３、ひいては軸筒４と、内筒５とは、筒状に形成された筒状部材である。なお、本明細書中では、筆記具１の軸線方向において、インクが吐出されるレフィルの先端部の筆記部側を「前」側と規定し、筆記部とは反対側を「後」側と規定する。
【００１５】
レフィルは、インクを収容したインク収容管の先端部に筆記部としてボールペンチップを装着して構成される。ノック部６を指でノック操作することによって、前軸２の前端部からレフィルの筆記部を出没させる。クリップ７は、筆記具１の転がりを防止し且つ紙や衣服等を軸筒４とクリップ７との間に狭持する役割を有する。
【００１６】
図２乃至図５を参照しながら、内筒５の構造及び軸筒４と内筒５との取り付けについて説明する。図２は、軸筒４と内筒５との取り付けを示す斜視図であり、図３は、内筒５の側面図であり、図４は、図３の線Ｘ−Ｘにおける内筒５の断面図であり、図５は、図３の線Ｙ−Ｙにおける内筒５の断面図である。なお、軸筒４及び内筒５は、ポリプロピレン又はポリカーボネート等の硬質の樹脂材料によって形成されている。
【００１７】
内筒５は、内筒本体５１及び後端部５２を備える。内筒本体５１は、軸筒４、すなわち後軸３に対する取り付け時に、後軸３の後端部内に挿入され、後端部５２は外部に露出している。内筒５は、接続部５３を介してクリップ７と一体的に形成されている。なお、クリップ７はクリップ本体７１及び玉部７２を有している。
【００１８】
内筒本体５１の外周面には、クリップ７と対向して突起部５４が形成されている。また、突起部５４近傍の内筒本体５１の外周面には、筆記具１の軸線方向に沿って延在する２つの溝５５が形成されている。２つの溝５５は、内筒本体５１を貫通している。また、２つの溝５５は、互いに連通することなく独立して形成されている。さらに、２つの溝５５は、周方向において突起部５４の両側に配置されている。言い換えると、突起部５４は、２つの溝５５によって画成され且つ両端が支持された両持ち梁部５６に形成されている。突起部５４は、両持ち梁部５６において、その軸線方向長さの中央に配置されている。ただし、突起部５４の後端は、両持ち梁部５６において、その軸線方向長さの中心（図３における線Ｙ−Ｙ）よりも後方に配置されることが好ましい。突起部５４の内筒本体５１の外周面には、嵌合突起５７が形成されている。
【００１９】
組み立て時に外部に露出する内筒５の後端部５２の外周面には、梨地処理が施されている。ここで挙げる梨地処理とは、ＪＩＳ  Ｂ０６０１によって定義される表面粗さＲｚ＝１２．５μｍ以上（仕上記号で▽▽以下）が好ましい。ここでの表面粗さ測定は、レーザ顕微鏡（株式会社キーエンス製  ＶＫ−８５００）を用いて、平滑化条件設定（フィルタサイズ３×３、フィルタタイプ単純平均、実行回数１回）、レンズ倍率１０倍、カラー超深度モード、その他の設定は標準仕様に準ずるによる表面粗さ測定により行い、軸体１表面の測定レンズの頂部付近１ヶ所の０．０５ｍｍ四方をピッチ０．０００５ｍｍ間隔で測定した。
【００２０】
内筒本体５１は、クリップ７及び軸筒４、すなわち後軸３が互いに組み立てられるとき、後軸３内に挿入されて後軸３と係合する。図２に示されるように、後軸３の後端部には、切り欠き３１が形成されている。また、内筒本体５１を後軸３に挿入した際の突起部５４に対応する後軸３の位置に、突起部５４と係止する係止部として、貫通孔３２が形成されている。すなわち、内筒本体５１を後軸３内に挿入すると、後軸３の切り欠き３１と内筒５の嵌合突起５７とが嵌合すると共に、内筒５の突起部５４が、後軸３貫通孔３２内に嵌合し、組み立てが完了する。後軸３の切り欠き３１と内筒５の嵌合突起５７とが嵌合することで、後軸３と内筒５との回転方向への動きが阻害されるため、より外れにくくすることができる。
【００２１】
内筒５の突起部５４近傍に２つの溝５５が形成されていることから、すなわち、突起部５４が両持ち梁部５６に形成されていることから、内筒５の内筒本体５１を後軸３に挿入する際、突起部５４が後軸３の後端部開口内縁に当接し、両持ち梁部５６が、径方向内側に弾性変形する。それによって、内筒５の後軸３への挿入が容易になる。言い換えると、２つの溝５５の長さや形状を調整し、両持ち梁部５６の周方向長さ、すなわち幅や軸線方向長さを調整することで、両持ち梁部５６の弾性を調整することができる。また、特許文献１に記載の筆記具と異なり、突起部５４が、片持ち梁ではなく両持ち梁部５５に形成されていることから、過度のベンディングやクリープ変形が生じることがない。
【００２２】
その結果、内筒５が後軸３から容易に外れないような適切な保持力を確保することが可能となる。また、組み立て時に、内筒５の取り付け具合の調整が容易に可能となることから、取り付け不良の防止が可能となる。さらに、内筒５の後端部５２に梨地処理が施されていることから、組み立て中に内筒５を周方向に回転させて位置合わせをする場合に後端部５２を把持した状態で滑ることがない。
【００２３】
溝５５の各々は、軸線方向においては、突起の長さの少なくとも２〜５倍であることが好ましい。また、図５において内筒本体５１の中心軸線から引かれた３つの直線、すなわち、突起部５４を等分する線をＬ０とし、溝５５の線Ｌ０に近い方の縁と接する線をＬ１とし、溝５５の線Ｌ０に遠い方の縁と接する線をＬ２として、線Ｌ０と線Ｌ１とが成す角をＡとし、線Ｌ０と線Ｌ２とが成す角をＢとした場合において、溝５５の各々は、周方向においては、１５°＜Ａ＜Ｂ＜４０°の関係式を満たすように形成されていることが好ましい。この実施例において、Ｎ＝２０００による組立試験を行ったところ、溝５５が形成されていない比較例では２０個の組間違えの不良が発生したが、本実施例では組間違えの不良は０個であった。なお、溝の長さや幅は、内筒本体５１の材質や周壁の厚み等に応じて、適宜調整することが好ましい。
【００２４】
上述した実施形態では、軸線方向に沿って延在する２つの溝５５であったが、溝５５の数を３つ以上としてもよい。また、軸線方向でなく、突起部近傍で周方向に延在するように溝を形成してもよい。この場合は、軸線方向において突起部の両側に配置されるように溝を形成することが好ましい。
【００２５】
本発明の実施形態について、ノック式筆記具の内筒を第１筒状部材とし、軸筒を第２筒状部材として、これらの取り付けについて説明したが、筆記具における他の２つの筒状部材の取り付けにおいて適用可能である。例えば、前軸と後軸との組み立て等にも適用することができる。
【符号の説明】
【００２６】
１    筆記具
２    前軸
３    後軸
４    軸筒
５    内筒
６    ノック部
７    クリップ
３１    切り欠き
３２    貫通孔
５１    内筒本体
５２    後端部
５３    接続部
５４    突起部
５５    溝
５６    両持ち梁部
【図１】
2016159491.tif 000003
【図２】
2016159491.tif 000004
【図３】
2016159491.tif 000005
【図４】
2016159491.tif 000006
【図５】
2016159491.tif 000007